(57)【特許請求の範囲】
【請求項１】
受金部を有する受金部本体と、前記受金部に掛止する掛金部を有する掛金部本体とを備え、前記受金部と前記掛金部とが掛止した掛止状態にある場合には、前記受金部本体に対して前記掛金部本体が移動することが規制される一方、前記受金部と前記掛金部との掛止が解除された非掛止状態にある場合には、前記受金部本体に対して前記掛金部本体が移動することが許容される掛止装置であって、
前記掛金部本体に形成した透孔と、前記掛金部本体に連結する連結部材に設け、前記透孔から現れて掛止状態であることを表示する第１表示部および非掛止状態であることを表示する第２表示部とを有する状態表示手段を備え、
前記掛金部本体は、縦方向および横方向を有し、前記横方向の一方の端部に前記掛金部を有するものであり、
前記掛金部本体には台座を設け、前記連結部材は、前記掛金部本体と前記台座とを連結するものであり、
前記台座および前記連結部材は、前記台座に台座貫通孔を形成する一方、前記連結部材の一方の端部に第１貫通孔を形成し、前記台座貫通孔および前記第１貫通孔を貫通する第１軸部材を設け、前記第１軸部材の軸心を中心に前記台座に対して前記連結部材が旋回するように連結し、
前記掛金部本体および前記連結部材は、前記掛金部本体に前記横方向に延びる本体長孔を形成する一方、前記連結部材の他方の端部に第２貫通孔を形成し、前記本体長孔および前記第２貫通孔を貫通する第２軸部材を設け、前記第２軸部材の軸心を中心に前記掛金部本体に対して前記連結部材が旋回するとともに、前記受金部と前記掛金部とが掛止状態にある場合には、前記本体長孔の他方の端部側に前記第２軸部材が位置するとともに前記台座に対して前記掛金部本体が前記横方向の一方の端部側に移動する一方、前記受金部と前記掛金部とが非掛止状態にある場合には、前記本体長孔の一方の端部側に前記第２軸部材が位置するとともに前記台座に対して前記掛金部本体が前記横方向の他方の端部側に移動し、
前記連結部材は前記第１表示部および前記第２表示部を有し、
前記掛金部本体には、前記本体長孔の一方の端部側に前記第２軸部材が位置するように前記第２軸部材を付勢するバネを設けてあることを特徴とする前記掛止装置。
【請求項２】
前記掛金部本体と前記連結部材との間には、一端部が前記掛金部本体に係止する一方、多端部が前記第１軸部材に係止して、前記連結部材の一方の端部が前記掛金部本体に当接するように付勢するねじりコイルバネを設けてある請求項１に記載の掛止装置。
【発明の詳細な説明】
【技術分野】
【０００１】
この発明は、受金部を有する受金部本体と、受金部に掛止する掛金部を有する掛金部本体とを備える掛止装置に関する。
【背景技術】
【０００２】
従来、受金部を有する受金部本体と、受金部に掛止する掛金部を有する掛金部本体とを備えるいわゆるパッチン錠である掛止装置は公知である。例えば、特許文献１には、掛止装置であるロック付きファスナが開示されている。
【０００３】
ロック付きファスナは、受金部本体であるフックと、掛金部本体であるファスナ本体とを備えている。
【０００４】
このロック付きファスナでは、ボックス本体および、ボックス本体の開口を開閉する蓋に適用してあり、ボックス本体にファスナ本体を取り付ける一方、蓋にフックを取り付けてある。
【０００５】
ファスナ本体は、ボックス本体に取り付けるベースと、ベースを覆うカバーと、ベースとカバーとを連結するアームとで形成してある。
【０００６】
ベースは、ラッチ受け部を有する一方、カバーは、ラッチ受け部に係合するラッチ片を有する。
【０００７】
このロック付きファスナにおいて、係合部をフックに掛けた状態で、カバーの基端側をアームと共に押し下げると、ラッチ片とラッチ受け部とが係合してロック付きファスナが掛止状態になる。この掛止状態では、ボックス本体に対して蓋を開けることができない。
【０００８】
このロック付きファスナのカバーには、掛止状態において、キー操作によって回転するロータを有し、ロータの回転によってカバーをベースに拘束したロック状態と、カバーがベースに拘束されていない非ロック状態とに変化する錠装置と、錠装置がロック状態であるか非ロック状態であるかを表示する表示窓およびインジケータを設けてある。錠装置がロック状態である場合には、係合部とフックとの係合を解除することができない。
【先行技術文献】
【特許文献】
【０００９】
【特許文献１】特開２０１０−１９６２４９号公報
【発明の概要】
【発明が解決しようとする課題】
【００１０】
特許文献１に開示されているロック付きファスナでは、錠装置がロック状態か非ロック状態かを表示する表示窓およびインジケータを備えるものの、係合部およびフックが掛止状態か非掛止状態かを表示する表示窓およびインジケータを備えていない。特に、特許文献１に開示されているように、フックがカバーで覆われるロック付きファスナでは、非ロック状態において、掛止状態であるか非掛止状態であるかを判別することができず、実際に、ボックス本体に対して蓋を開けることができるか否かを操作しなければならない課題があった。
【００１１】
そこで、この発明は、受金部および掛金部が掛止状態であるのか非掛止状態であるのかを容易に判別することができる掛止装置を提供することを課題にしている。
【課題を解決するための手段】
【００１２】
前記課題を解決するために、この発明が対象とするのは、受金部を有する受金部本体と、前記受金部に掛止する掛金部を有する掛金部本体とを備え、前記受金部と前記掛金部とが掛止した掛止状態にある場合には、前記受金部本体に対して前記掛金部本体が移動することが規制される一方、前記受金部と前記掛金部との掛止が解除された非掛止状態にある場合には、前記受金部本体に対して前記掛金部本体が移動することが許容される掛止装置である。
【００１３】
かかる掛止装置において、この発明は以下の特徴を有する。前記掛金部本体に形成した透孔と、前記掛金部本体に連結する連結部材に設け、前記透孔から現れて掛止状態であることを表示する第１表示部および非掛止状態であることを表示する第２表示部とを有する状態表示手段を備える。前記掛金部本体は、縦方向および横方向を有し、前記横方向の一方の端部に前記掛金部を有する。前記掛金部本体には台座を設け、前記連結部材は、前記掛金部本体と前記台座とを連結する。前記台座および前記連結部材は、前記台座に台座貫通孔を形成する一方、前記連結部材の一方の端部に第１貫通孔を形成し、前記台座貫通孔および前記第１貫通孔を貫通する第１軸部材を設け、前記第１軸部材の軸心を中心に前記台座に対して前記連結部材が旋回するように連結する。前記掛金部本体および前記連結部材は、前記掛金部本体に前記横方向に延びる本体長孔を形成する一方、前記連結部材の他方の端部に第２貫通孔を形成し、前記本体長孔および前記第２貫通孔を貫通する第２軸部材を設け、前記第２軸部材の軸心を中心に前記掛金部本体に対して前記連結部材が旋回するとともに、前記受金部と前記掛金部とが掛止状態にある場合には、前記本体長孔の他方の端部側に前記第２軸部材が位置するとともに前記台座に対して前記掛金部本体が前記横方向の一方の端部側に移動する一方、前記受金部と前記掛金部とが非掛止状態にある場合には、前記本体長孔の一方の端部側に前記第２軸部材が位置するとともに前記台座に対して前記掛金部本体が前記横方向の他方の端部側に移動する。前記連結部材は前記第１表示部および前記第２表示部を有する。前記掛金部本体には、前記本体長孔の一方の端部側に前記第２軸部材が位置するように前記第２軸部材を付勢するバネを設けてある。
【００１５】
この発明の実施形態の一つにおいて、前記掛金部本体と前記連結部材との間には、一端部が前記掛金部本体に係止する一方、多端部が前記第１軸部材に係止して、前記連結部材の一方の端部が前記掛金部本体に当接するように付勢するねじりコイルバネを設けてある。
【発明の効果】
【００１６】
この発明に係る掛止装置によれば、掛金部本体に透孔を形成し、且つ透孔から現れて掛止状態であることを表示する第１表示部および非掛止状態であることを表示する第２表示部を前記掛金部本体に設けたため、掛止状態であるのか非掛止状態であるのかを容易に判別することができる。
【図面の簡単な説明】
【００１７】
【図１】非掛止状態にある掛止装置の斜視図。
【図２】非掛止状態から掛止状態に移行する途中の掛止装置の斜視図。
【図３】図１の矢視ＩＩＩ−ＩＩＩにおける断面図。
【図４】図１の矢視ＩＶ−ＩＶにおける断面図。
【図５】図３の矢視Ｖ−Ｖにおける断面図。
【図６】受金部と掛金部とを掛止した状態を示す断面図。
【図７】掛止状態にある掛止装置の斜視図。
【図８】図７の矢視ＶＩＩＩ−ＶＩＩＩにおける断面図。
【発明を実施するための形態】
【００１８】
添付の図面を参照してこの発明に係る掛止装置の詳細を説明すると以下のとおりである。
【００１９】
図１は、非掛止状態にある掛止装置１０の斜視図であり、図２は、非掛止状態から掛止状態に移行する途中の掛止装置１０の斜視図である。図１，２において、Ｘは横方向を示し、Ｙは縦方向を示す。掛止装置１０は、例えば縦方向Ｙの寸法よりも横方向Ｘの寸法が大きくなるように形成してある。
【００２０】
掛止装置１０は、ステンレス等の硬質材料でそれぞれ形成され、受金部２１を有する受金部本体２０と、受金部２１に掛止する掛金部３１を有する掛金部本体３０とを備えている。掛止装置１０は、例えば筐体１３と、その筐体１３に対して開閉する蓋体１２とを有する容器１４に適用してあり、受金部本体２０は例えば蓋体１２に取り付ける一方、掛金部本体３０は例えば筐体１３に取り付けてある。掛止装置１０は、受金部２１と掛金部３１とが掛止した掛止状態にある場合には、掛金部本体３０に対して受金部本体２０が移動することが規制される一方、受金部２１と掛金部３１との掛止が解除された非掛止状態にある場合には、掛金部本体３０に対して受金部本体２０が移動することが許容される。換言すれば、掛止装置１０が掛止状態にある場合には、筐体１３に対して蓋体１２を開くことが規制される一方、非掛止状態にある場合には、筐体１３に対して蓋体１２を開くことが許容される。
【００２１】
受金部本体２０は、２つの貫通孔２３を有する板状部２２と、板状部２２における横方向Ｘの一方の端部から、板状部２２の表面に対して直交する方向へ立ち上がり、その後、横方向Ｘの一方の端部へ向けて延びる受金部２１とを有する。貫通孔２３には、例えばネジ２４の先端を貫通させて、ネジ２４によって受金部本体２０を蓋体１２に取り付けてある。図２においては、受金部本体２０の説明の便宜のため、２本のネジ２４のうちの１本を取り除いた状態で示してある。
【００２２】
掛金部本体３０は、図１〜５に示すように、略矩形を有し、横方向Ｘにおける一方の端部に位置する旋回端部３２、および横方向Ｘにおける他方の端部に位置して掛止装置１０の状態を変化させる場合に操作者が指をかける操作端部３３を備える板状部３４と、縦方向Ｙにおいて、板状部３４の両側から互いに対向するように延びる本体両側部３５と、横方向Ｘにおいて、旋回端部３２から板状部３４の裏面側に対向するよう突出し、受金部２１に掛止する掛金部３１とを有する。
【００２３】
板状部３４の縦方向Ｙの中央には、透孔３６を形成してある。また、一対の本体両側部３５における他方の端部には、互いに対向するように一対の本体貫通孔３７を形成してあり、一対の本体両側部３５における略中央には、横方向Ｘへ向けて延び、かつ互いに対向する一対の本体長孔３８を形成してある。
【００２４】
掛金部本体３０には、台座４０と、連結部材５０とを設けてある。台座４０は、２つの台座取付孔４３を有する矩形の台座板状部４１と、台座板状部４１の両側から立ち上がる一対の突出部４２とを有する。台座取付孔４３には、例えばネジ４４の先端を貫通させて、ネジ４４によって台座４０を筐体１３に取り付けてある。各突出部４２は台座貫通孔４５を有する。
【００２５】
連結部材５０は、台座４０と、掛金部本体３０とを連結するものであって、図１〜図５に示すように、互いに対向する一対のアーム部５１と、一対のアーム部５１の間に形成し、透孔３６から現れる基部５２とを有する。一対のアーム部５１の一方の端部側には、一対の第１貫通孔５３をそれぞれ形成してあり、他方の端部には、一対の第２貫通孔５４をそれぞれ形成してある。基部５２は、例えば掛止装置１０が掛止状態であることを示す第１色で形成された第１表示部５５と、掛止装置１０が非掛止状態であることを示す第２色で形成された第２表示部５６とを有している。基部５２において、受金部２１に近接する一方の端部側に第１表示部５５を配置してある一方、受金部２１に離間する他方の端部側に第２表示部５６を配置してある。第１色は、例えば緑色であり、第２色は、例えば赤色である。第１表示部５５と第２表示部５６とは、互いに異なる色相であれば、何色でもよい。もちろん、第１表示部５５および第２表示部５６は、色相の相違で表示する必要もなく、例えば第１表示部５５に「掛止状態」と記載する一方、第２表示部５６に「非掛止状態」と記載して、文字で表示してもよいし、文字および色相の相違で表示してもよい。透孔３６と、第１表示部５５と、第２表示部５６とによって、掛止状態であるか非掛止状態であるかを表示する状態表示手段５９を構成する。
【００２６】
連結部材５０および台座４０において、一対の台座貫通孔４５および第１貫通孔５３のそれぞれに第１リベット６１の先端を挿入してから、第１リベット６１の先端をかしめることによって連結部材５０と台座４０とを第１リベット６１の軸心を中心に台座４０に対して連結部材５０が旋回するように連結してある。
【００２７】
掛金部本体３０は、図３に示すように、スプリングカバー６３を有している。スプリングカバー６３は、板状部３４の裏面側に配置してあって、平板状のカバー本体６４と、カバー本体６４の両側から互いに対向するように延びるカバー両側部６５とを有する。一対のカバー両側部６５において、一方の端部側には、一対のカバー長孔６７を形成してある一方、操作端部３３側には、一対のカバー貫通孔６８を形成してある。カバー長孔６７の大きさは、上記掛金部本体３０の本体長孔３８の大きさと合致し、カバー貫通孔６８の大きさは、掛金部本体３０の本体貫通孔３７の大きさと合致する
【００２８】
本体両側部３５とカバー両側部６５との間に、一対のねじりコイルバネ７１および一対のアーム部５１の他方の端部を配置してから、一対の本体長孔３８、後述するねじりコイルバネ７１のバネ本体７１ａ、第２貫通孔５４、および一対のカバー長孔６７のそれぞれに第２リベット６２の先端を挿入し、第２リベット６２の先端に平座金８１を入れてから、第２リベット６２の先端をかしめることによって、第２リベット６２の軸心を中心に掛金部本体３０およびスプリングカバー６３に対して連結部材５０が旋回するとともに、本体長孔３８およびカバー長孔６７の一方の端部側と、他方の端部側とに連結部材５０がスライド移動するように掛金部本体３０に連結部材５０を取り付けてある。
【００２９】
ねじりコイルバネ７１は、金属をコイル状に複数回巻くことで形成したバネ本体７１ａと、バネ本体７１ａからそれぞれ延びる一端部７１ｂおよび他端部７１ｃとを有する。バネ本体７１ａには、第２リベット６２を通してある。ねじりコイルバネ７１は、一端部７１ｂが、掛金部本体３０の係止部３９に係止してあり、かつ他端部７１ｃが、第１リベット６１に係止してあり、第２リベット６２の軸心を中心に連結部材５０が旋回して、連結部材５０の一方の端部側が掛金部本体３０の板状部３４から離間した場合には、連結部材５０の一方の端部側が掛金部本体３０の板状部３４に当接するように付勢するものである。
【００３０】
スプリングカバー６３および掛金部本体３０において、一対の本体貫通孔３７およびカバー貫通孔６８のそれぞれに、第３リベット６９の先端を挿入し、第３リベット６９の先端をかしめて、掛金部本体３０に対してスプリングカバー６３を固定してある。
【００３１】
スプリングカバー６３の内部において、第２リベット６２と第３リベット６９との間には、コイルスプリング（バネ）８２を２つ設けてある。コイルスプリング８２は、第３リベット６９に対して第２リベット６２を離間する方向へ付勢するコイルスプリング８２が２つ設けてある。換言すれば、掛金部本体３０には、本体長孔３８の一方の端部側に第２リベット６２が位置するように第２リベット６２を付勢するコイルスプリング８２を設けてある。
【００３２】
コイルスプリング８２の付勢力によって、第２リベット６２は、通常、本体長孔３８における一方の端部側に位置する。また、ねじりコイルバネ７１の付勢力によって、連結部材５０は掛金部本体３０に当接する。図１に示すように、受金部２１と掛金部３１とが非掛止状態である場合には、受金部本体２０に対して掛金部本体３０の移動が許容されるとともに、筐体１３に対して蓋体１２を移動させることができる。また、板状部３４の透孔３６からは、第２表示部５６が現れる。加えて、ねじりコイルスプリング８２の付勢力によって、連結部材５０の一方の端部が掛金部本体３０の板状部３４の裏面に当接するため、掛金部本体３０の裏面が筐体１３に対向した姿勢を維持することができ、非掛止状態において、透孔３６が隠れることを防止することができる。
【００３３】
この非掛止状態から、図２に示すように、掛金部３１が筐体１３から離間するように、掛金部本体３０を筐体１３から引き離す。この際、ねじりコイルバネ７１の付勢力に抗して、掛金部本体３０に対して連結部材５０の一方の端部側が離間するように、第２リベット６２の軸心を中心に連結部材５０を掛金部本体３０に対して旋回するとともに、第１リベット６１の軸心を中心に連結部材５０を台座４０に対して旋回する。
【００３４】
次に、掛金部本体３０の一方の端部を蓋体１２に近接させるように、第１リベット６１の軸心を中心に掛金部本体３０を台座４０に対して旋回させ、図６に示すように、受金部２１と掛金部３１とを掛止する。次いで、指で操作端部３３を筐体１３に対して押圧し、第１リベット６１の軸心を中心に連結部材５０を台座４０に対して旋回させ、コイルスプリング８２の付勢力に抗して第２リベット６２を本体長孔３８およびカバー長孔６７の他方の端部に位置させるとともに、掛金部本体３０の操作端部３３を筐体１３に近接させ、図７，８に示すように掛止状態にする。掛止状態では、板状部３４の透孔３６から第１表示部５５が現れる。掛止状態では、受金部本体２０に対して掛金部本体３０の移動が規制されるとともに、筐体１３に対して蓋体１２を開くことが規制される。
【００３５】
この掛止状態から、指で操作端部３３が筐体１３から離間するように掛金部本体３０を引き、第１リベット６１の軸心を中心に連結部材５０を台座４０に対して旋回させる。次に、受金部２１と掛金部３１との掛止を解除した後、操作端部３３から指を離す。すると、ねじりコイルバネ７１の付勢力によって、連結部材５０が掛金部本体３０に対して第２リベット６２の軸心を中心に旋回して、連結部材５０の一方の端部が掛金部本体３０に当接し、重力の作用で、台座４０に対して連結部材５０の他方の端部が第１リベット６１の軸心を中心に旋回して、操作端部３３が筐体１３に当接して非掛止状態に復帰する。
【００３６】
この掛止装置１０によれば、掛金部本体３０に透孔３６を形成し、且つ前記透孔３６から現れて掛止状態であることを表示する第１表示部５５および非掛止状態であることを表示する第２表示部５６を掛金部本体３０に連結する連結部材５０に設けてあるため、受金部２１および掛金部３１が、掛止状態であるか非掛止状態であるかを容易に判別することができる。
【００３７】
なお、上述した実施の形態では、非掛止状態において受金部２１が、掛金部本体３０で覆われないもので説明した。しかし、この発明は、上述した実施形態に限られず、非掛止状態において、受金部２１が、掛金部本体３０で覆われる掛止装置１０にも適用することができる。
【符号の説明】
【００３８】
１０    掛止装置
２０    受金部本体
２１    受金部
３０    掛金部本体
３１    掛金部
３６    透孔
３８    本体長孔
４０    台座
４５    台座貫通孔
５０    連結部材
５３    第１貫通孔
５４    第２貫通孔
５５    第１表示部
５６    第２表示部
５９    状態表示手段
６１    第１リベット（第１軸部材）
６２    第２リベット（第２軸部材）
７１    ねじりコイルバネ
７１ａ  一端部
７１ｂ  他端部
８２    コイルスプリング
Ｘ      横方向
Ｙ      縦方向
【図１】
0005723323.tif 000002
【図２】
0005723323.tif 000003
【図３】
0005723323.tif 000004
【図４】
0005723323.tif 000005
【図５】
0005723323.tif 000006
【図６】
0005723323.tif 000007
【図７】
0005723323.tif 000008
【図８】
0005723323.tif 000009